(57)【特許請求の範囲】
【請求項１】
ＳＣＨ（shared channel）およびＤＣＨ（dedicated channel）の両方においてユーザーデータがシグナルされる、送信電力制御を有するＷＴＲＵであって、該ＷＴＲＵは、ＤＣＨ上でデータ信号を伝送し、かつ関連するＳＣＨ上でデータ信号を散発的に伝送するＷＴＲＵであって、
前記ＤＣＨ上で前記ＷＴＲＵによって伝送される信号を受信したことに基づいて計算されるＤＣＨ目標メトリクスを受信する手段と、
受信されたＤＣＨ目標メトリクスから得られるＳＣＨ目標メトリクスを生成する手段と、
ＤＣＨ電力調整値を受信したＤＣＨ目標メトリクスの関数として計算し、かつＳＣＨ電力調整値を生成されたＳＣＨ目標メトリクスの関数として計算するように構成された、電力調整値を目標メトリクスの関数として計算する手段と
を備えたことを特徴とするＷＴＲＵ。
【請求項２】
前記目標メトリクスは目標ＳＩＲであることを特徴とする請求項１に記載のＷＴＲＵ。
【請求項３】
前記計算する手段は、受信されたＤＣＨ目標ＳＩＲと、該受信されたＤＣＨ目標ＳＩＲに基づいてＳＣＨ目標メトリクスを生成する前記ＷＴＲＵの手段によって生成された、ＳＣＨ目標ＳＩＲとに基づいて電力調整値を計算することを特徴とする請求項２に記載のＷＴＲＵ。
【請求項４】
前記ＷＴＲＵによって伝送されたＤＣＨ伝送データ信号と前記計算されたＤＣＨ電力調整値とをコンバインする手段と、
前記ＷＴＲＵによって伝送されたＳＣＨ伝送データ信号と前記計算されたＳＣＨ電力調整値とをコンバインする手段と
をさらに備えたことを特徴とする請求項３に記載のＷＴＲＵ。
【請求項５】
前記ＷＴＲＵは、ＷＴＲＵの伝送についてのオープンループ送信電力制御を有するＵＭＴＳ（Universal Mobile Telecommunications System）において使用されるように構成されることを特徴とする請求項２に記載のＷＴＲＵ。
【請求項６】
前記目標メトリクスは目標ＳＩＲであり、
前記ＤＣＨはＵＬ  ＤＣＨ（uplink dedicated channel）であり、
前記ＳＣＨはＵＬ  ＳＣＨ（uplink shared channel）であり、
前記ＷＴＲＵはＷＴＲＵの伝送についてのオープンループ送信電力制御を有するＵＭＴＳ（Universal Mobile Telecommunications System）において使用されるように構成されることを特徴とする請求項１に記載のＷＴＲＵ。
【請求項７】
ＳＣＨ目標ＳＩＲが生成されるＳＣＨはＨＳ−ＤＳＣＨｓ（High Speed Downlink Shared Channels）とともに動作するＨＳ−ＳＩＣＨｓ（High Speed Shared Information Channels）であることを特徴とする請求項６に記載のＷＴＲＵ。
【請求項８】
前記計算する手段は、受信されたＤＣＨ目標ＳＩＲと、該受信されたＤＣＨ目標ＳＩＲに基づいてＳＣＨ目標メトリクスを生成する前記ＷＴＲＵの手段によって生成された、ＨＳ−ＳＩＣＨ目標ＳＩＲとに基づいて電力調整値を計算することを特徴とする請求項７に記載のＷＴＲＵ。
【請求項９】
前記ＷＴＲＵによって伝送されたＤＣＨ伝送データ信号とＵＬ  ＤＣＨ電力調整値とをコンバインする手段と、
前記ＷＴＲＵによって伝送されたＵＬ  ＨＳ−ＳＩＣＨ伝送データ信号と計算されたＵＬ  ＨＳ−ＳＩＣＨ電力調整値とをコンバインする手段と
をさらに備えたことを特徴とする請求項３に記載のＷＴＲＵ。
【請求項１０】
ＳＣＨ（shared channel）およびＤＣＨ（dedicated channel）の両方においてユーザーデータがシグナルされるＷＴＲＵにおける送信電力制御方法であって、
該ＷＴＲＵは、ＤＣＨ上でデータ信号を伝送し、かつ関連するＳＣＨ上でデータ信号を散発的に伝送し、
前記方法は、
前記ＤＣＨ上で前記ＷＴＲＵによって伝送される信号を受信したことに基づいて計算されるＤＣＨ目標メトリクスを受信するステップと、
受信されたＤＣＨ目標メトリクスから得られるＳＣＨ目標メトリクスを生成するステップと、
ＤＣＨ電力調整値を受信したＤＣＨ目標メトリクスの関数として計算し、かつＳＣＨ電力調整値をＳＣＨ目標メトリクスの関数として計算するステップと
を含むことを特徴とする方法。
【請求項１１】
前記目標メトリクスは目標ＳＩＲであり、
前記ＷＴＲＵは、受信されたＤＣＨ目標ＳＩＲと、該受信されたＤＣＨ目標ＳＩＲに基づいて前記ＷＴＲＵによって生成された、ＳＣＨ目標ＳＩＲとに基づいて電力調整値を計算することを特徴とする請求項１０に記載の方法。
【請求項１２】
前記ＷＴＲＵによって伝送されたＤＣＨ伝送データ信号と前記計算されたＤＣＨ電力調整値とをコンバインするステップと、
前記ＷＴＲＵによって伝送されたＳＣＨ伝送データ信号と前記計算されたＳＣＨ電力調整値とをコンバインするステップと
をさらに含むことを特徴とする請求項１１に記載の方法。
【請求項１３】
前記ＷＴＲＵは、ＷＴＲＵの伝送についてのオープンループ送信電力制御を実行するＵＭＴＳ（Universal Mobile Telecommunications System）において使用されることを特徴とする請求項１２に記載の方法。
【請求項１４】
前記生成するステップおよび前記計算するステップは、目標ＳＩＲを生成するステップおよび計算するステップをさらに含み、
前記ＷＴＲＵは、ＷＴＲＵの伝送についてのオープンループ送信電力制御を実行するＵＭＴＳ（Universal Mobile Telecommunications System）において使用されることを特徴とする請求項１０に記載の方法。
【請求項１５】
ＳＣＨ目標ＳＩＲが生成されるＳＣＨはＨＳ−ＤＳＣＨｓ（High Speed Downlink Shared Channels）とともに動作するＨＳ−ＳＩＣＨｓ（High Speed Shared Information Channels）であることを特徴とする請求項１４に記載の方法。
【請求項１６】
受信されたＤＣＨ目標ＳＩＲと、該受信されたＤＣＨ目標ＳＩＲに基づいて前記ＷＴＲＵによって生成された、ＨＳ−ＳＩＣＨ目標ＳＩＲとに基づいて電力調整値を計算するステップと、
前記ＷＴＲＵによって伝送されたＤＣＨ伝送データ信号と前記計算されたＤＣＨ電力調整値とをコンバインするステップと、
前記ＷＴＲＵによって伝送されたＨＳ−ＳＩＣＨ伝送データ信号と前記計算されたＨＳ−ＳＩＣＨ電力調整値とをコンバインするステップと
をさらに含むことを特徴とする請求項１５に記載の方法。
【発明の詳細な説明】
【技術分野】
【０００１】
本発明は、ワイヤレス通信システムにおける電力制御方法及び装置に関し、特に、高速ＳＣＨを使用するシステムにおける電力制御方法及び装置に関する。
【背景技術】
【０００２】
ワイヤレス電気通信（telecommunication）システムは、当技術分野において周知のものである。グローバル接続を無線システムに提供するため、標準が開発されインプリメントされている。現在普及している１つの標準としては、ＧＳＭ（Global System for Mobile Telecommunications）が知られている。これは、いわゆる２Ｇ（second generation）モバイル無線システム標準と考えられているものであり、その後のものが、２．５Ｇ（generation）モバイル無線システム標準である。ＧＰＲＳ（General Packet Radio Service）およびＥＤＧＥが、２．５Ｇ技術の例であって、（２Ｇ）ＧＳＭネットワークに加えて、比較的高速なデータサービスを提供するものである。これらの標準は、それぞれ、特徴を追加し、機能を強化して、前の標準を改善しようとしたものである。１９９８年１月に、ＥＴＳＩ  ＳＭＧ（European Telecommunications Standard Institute-Special Mobile Group）が、ＵＭＴＳ（Universal Mobile Telecommunications System）と呼ばれる３Ｇワイヤレスシステムに関する無線アクセススキームに関して合意した。ＵＭＴＳ標準をさらにインプリメントするため、１９９８年１２月に、３ＧＰＰ（Third Generation Partnership Project）が形成された。３ＧＰＰは引き続き共通の３Ｇモバイル無線標準に取り組んでいる。
【０００３】
現在の３ＧＰＰ規格準拠の典型的なＵＭＴＳシステムアーキテクチャを図１に示す。このＵＭＴＳネットワークアーキテクチャには、ＣＮ（Core Network）が含まれており、このＣＮは、ＵＴＲＡＮ（UMTS Terrestrial Radio Access Network）と、Ｉｕとして知られるインタフェースを介して互いに接続されている。このＩｕは、現在一般に入手可能な３ＧＰＰ規格ドキュメントに詳細に定義されているものである。このＵＴＲＡＮは、Ｕｕとして知られる無線インタフェースを介し、３ＧＰＰにおけるＵＥ（User Equipment）として知られるＷＴＲＵ（wireless transmit receive unit）を介して、ワイヤレス電気通信（telecommunication）サービスをユーザに提供するように構成されている。このＵＴＲＡＮは、１つ又は複数のＲＮＣ（Radio Network Controller）と、複数のベースステーションとを有し、これら複数のベースステーションは、３ＧＰＰにおいてノードＢとして知られるものであり、これらベースステーションが集合することにより、ＵＥとワイヤレス通信を行うための地理的なサービスエリアが提供される。１つ又は複数のノードＢが、３ＧＰＰにおいてＩｕｂとして知られるインタフェースを介して、各ＲＮＣに接続されている。このＵＴＲＡＮにおいては、異なるＲＮＣ（図１には２つのみを示す。）に、ノードＢの幾つかのグループが接続されている。このＵＴＲＡＮにおいて複数のＲＮＣが提供される場合、ＲＮＣ間通信がＩｕｒインタフェースを介して行われる。
【０００４】
これら複数のネットワークコンポーネント外の通信は、ユーザレベルで、ノードＢによってＵｕインタフェースを介して行われ、ネットワークレベルでは、外部システムとの種々のＣＮ接続によって、ＣＮによって行われる。
【０００５】
一般に、ノードＢなどのベースステーションの主要な機能は、ベースステーションのネットワークとＷＴＲＵとの間において無線接続を提供することである。典型的には、ベースステーションは、コモンチャネル信号を発信し、このコモンチャネル信号によって、非接続のＷＴＲＵが、ベースステーションのタイミングと同期することができる。３ＧＰＰにおいて、ノードＢは、ＵＥと、物理無線接続（physical radio connection）を行う。ノードＢは、ノードＢによってＵｕインタフェースを介して送信した無線信号を制御する信号を、ＲＮＣからＩｕｂインタフェースを介して受信する。
【０００６】
ＣＮは、情報を正しいデスティネーションにルーティングすることを担当している。例えば、このＣＮは、ＵＭＴＳによってＵＥから１つのノードＢを介して受信された音声トラフィックを、ＰＳＴＮ（public switched telephone network）にルーティングすることができ、あるいは、the Internetに宛てたパケットデータを、ＰＳＴＮ（public switched telephone network）にルーティングすることができる。３ＧＰＰにおいては、このＣＮは、次の６つの主要なコンポーネント、すなわち、１）サービングＧＰＲＳ（general packet radio service）サポートノードと、２）ゲートウェイＧＰＲＳサポートノードと、３）ボーダゲートウェイ（border gateway）と、４）ビジタ（visitor）ロケーションレジスタ（visitor location register）と、５）モバイルサービス交換ステーション（mobile services switching center）と、６）ゲートウェイモバイルサービス交換ステーションと、を有する。サービングＧＰＲＳサポートノードは、the Internetなどのパケット交換ドメインへのアクセスを提供する。ゲートウェイＧＰＲＳサポートノードは、他のネットワークに接続するためのゲートウェイノードである。他の事業者のネットワークまたはthe Internetへの全てのデータトラフィックは、ゲートウェイＧＰＲＳサポートノードを経由する。ボーダゲートウェイは、当該ネットワークに侵入して当該ネットワーク領域内のサブスクライバを攻撃するのを防止するファイアウォールとしてアクトする。ビジタロケーションレジスタは、現在サービス提供を行っているネットワークがサービス提供に必要となるサブスクライバデータの「コピー（copy）」である。この情報は、最初、モバイルサブスクライバを管理するデータベースから来るものである。モバイルサービス交換ステーションは、ＵＭＴＳ端末装置と当該ネットワークとの間の「回線交換」接続を担当している。ゲートウェイモバイルサービス交換ステーションは、要求されるルーティング機能をサブスクライバの現在位置に基づいてインプリメントする。ゲートウェイモバイルサービスは、外部ネットワークからのサブスクライバによる接続要求の受信及び管理も行う。
【０００７】
これらＲＮＣは、一般に、ＵＴＲＡＮの内部機能を制御する。これらＲＮＣは、通信において、ローカルサービスコンポーネントと外部サービスコンポーネントとを有する中間サービスも提供する。ローカルサービスコンポーネントは、ノードＢとのＵｕインタフェース接続によるものである。外部サービスコンポーネントは、当該ＣＮと外部システムとの接続によるものであり、例えばローカルＵＭＴＳのセルフォンから行われる国際電話（oversea call）である。
【０００８】
典型的には、ＲＮＣの海外における複数のベースステーションは、ノードＢによってサービス提供が行われるワイヤレス無線サービス提供地域の地理的エリア内の無線リソースを管理し、Ｕｕインタフェースのための物理無線リソースをコントロールする。３ＧＰＰにおいては、ＲＮＣのＩｕインタフェースは、２つの接続を提供する。１つは、パケット交換ドメインに対する接続であり、１つは、回線交換ドメインに対する接続である。これらＲＮＣの他の重要な機能には、コンフィデンシャリティ保護（confidentiality protection）とインテグリティ保護（integrity protection）が含まれる。
【０００９】
ワイヤレス通信システムのための種々の電力制御方法が、当技術分野において周知である。ワイヤレス通信システムのためのオープンループ電力制御送信機システムの例と、クローズドループ電力制御送信機システムの例とを、それぞれ、図２及び図３に示す。このようなシステムの目的は、チャネルがフェーディングを伝搬しており、時間につれて干渉が変化する場合には、データがリモートエンド（remote end）において許容品質で受信される程度に送信機電力を最小にするため、送信機電力を迅速に変化させることにある。
【００１０】
通信システム、例えば３ＧＰＰのＴＤＤ（Time Division Duplex）システムやＦＤＤ（Frequency Division Duplex）システムにおいては、可変速度データの複数のＳＣＨ及びＤＣＨが、送信のために組み合わされる。このようなシステムのバックグランド規格データは、非特許文献１〜４に見られる。より適正なパフォーマンスをもたらすデータレート変更に適応した高速電力制御方法及びシステムが、特許文献１及び２に教示されている。
【００１１】
ＳＣＨが利用される場合には、異なる複数のＷＴＲＵが同一のチャネルを使用することができ、特定のＷＴＲＵは散発的にチャネルを使用することができる。本発明者らは、次のようなこと、すなわち、当該ＷＴＲＵが特定のＳＣＨを使用した後に当該ＷＴＲＵの相対的位置が実質的に変化できるのであるから、この特定のＳＣＨの電力制御値を慣用の方法で調整するために使用されるメトリックは、簡単に利用できないこと、を認識している。したがって、これらＷＴＲＵによってこのようなチャネルを散発的に使用できる場合には、ＳＣＨの電力を制御する方法及び装置を提供するのが、望ましい。
【００１２】
例えば、ＵＴＲＡ  ＴＤＤ（UMTS Terrestrial Radio Access Time Division Duplex）の３ＧＰＰ  Ｒ５（Release 5）で規格が定められている物理チャネルには、ＨＳ−ＤＳＣＨ（High Speed Downlink Shared Channel）と協働して動作するＨＳ−ＳＩＣＨ（High Speed Shared Information Channel）が含まれる。ＨＳ−ＳＩＣＨは、高速ＵＬ（Uplink）フィードバックチャネルであって、ＨＳＤＰＡ（High Speed Down link Packet Access）のために、ＵＴＲＡ  ＴＤＤ  Ｒ５において使用されるものである。このＨＳ−ＳＩＣＨは、ＨＳ−ＤＳＣＨを介してＤＬ（downlink）送信を受信した特定のＷＴＲＵから、１ビットのＡｃｋ／Ｎａｃｋメッセージと、数ビット長の測定レポートとを送信する。
【００１３】
このＨＳ−ＤＳＣＨは、パッケージを、スケジューリングを用いるユーザに、非常に大きいスループットで送信するのに用いられるＨＳＤＰＡ  Ｒ５  ＤＬチャネルである。このスケジューリングは、異なる複数のユーザのための推定瞬間チャネル品質と、ハイブリッドＡＲＱ（automatic repeat requests）を含む高速Ｌ１（Level 1）再送信技術とに基づいて使用される。単一のＷＴＲＵのみが、ＴＴＩ（Transmission Time Interval）内に、ＨＳ−ＤＳＣＨを介して、ＤＬ送信を受信する。ＴＴＩは、現在、ＨＳ−ＤＳＣＨに関して１０msecと規定されている。特定のＷＴＲＵのＤＬ  ＨＳ−ＤＳＣＨを含むＴＴＩと、この特定のＷＴＲＵのＵＬアクノリッジ（acknowledgement）を含むＴＴＩとの間に１対１の相関があるようにするため、この特定のＷＴＲＵは、このＤＬ送信が正常受信されたか又は異常受信されたかをアクノリッジする送信を、指定のＴＴＩ内に、ＨＳ−ＳＩＣＨを介して、受信する。ＤＬ送信ＴＴＩの後の第ｉ番のＴＴＩ内に、このアクノリッジが送信されるのが好ましい。ただし、ｉは、５を超える数値である。そこで、所定のＴＴＩでは、１つのＷＴＲＵのみがＵＬ  ＨＳ−ＳＩＣＨで送信し、異なる複数のＷＴＲＵが、それぞれ、他のＴＴＩでパケット受信のアクノリッジを行うためＵＬ  ＨＳ−ＳＩＣＨを使用する。
【００１４】
他の複数のＵＬチャネルの場合のように、ＨＳ−ＳＩＣＨに必要なＵＬ送信電力を決定するため、ＷＴＲＵによってループ型電力制御を使用することが望ましい。慣用的には、図２のオープンループ電力制御送信機で当該ＷＴＲＵを構成することができるが、この構成においては、当該ＷＴＲＵが、ＤＬパス損失を測定し、ＵＴＲＡＮから当該ＷＴＲＵにブロードキャストされるかシグナルされるＵＬ干渉レベルが考慮される。
【００１５】
受信品質が目標品質を満足するようにするため、いわゆるアウターループ電力制御も、図２のオープンループ電力制御にインプリメントされるのが好ましい。ここに、Ｔｘ電力調整値が目標ＳＩＲ（Signal to Interference Ratio）などのメトリック（metric）に応じて生成される。この目標ＳＩＲは信号の受信品質を制御するのに使用される。目標ＳＩＲが大きくなるほど、復調も良好になるが、これは、システム内の他のユーザが生じさせる干渉が多くなる、ことを意味する。目標ＳＩＲが小さくなるほど、システム内の他のユーザが生じさせる干渉が少なくなるが、復調品質が低くなる、ことを意味する。慣用的には、当該システムでの干渉とＵＬチャネルの品質との関数として所望の値を更新するアウターループ電力制御によって、この目標ＳＩＲが動的に調整される。
【００１６】
ＷＴＲＵのアウターループ機能は、ベースステーションによって受信ＵＬ送信を観察すること、例えば、ＢＬＥＲ（block-error rates）又は受信ＳＩＲを観察すること、に依拠する。仮に、例えば、ＢＬＥＲが許容値を超えた場合、例えば３ＧＰＰ  Ｒ５において、ＢＬＥＲ＞０．１となった場合で、かつ、エラーが多くユーザデータが使用できなくなった場合には、より高い目標ＳＩＲが当該ＷＴＲＵにシグナルされ、当該ＷＴＲＵがこの目標ＳＩＲを適用して当該ＷＴＲＵの送信電力を調整する。しかしながら、ＨＳ−ＳＩＣＨのようなＳＣＨは時分割（time-shared）であるから、特定のＷＴＲＵのみがＳＣＨで散発的に送信を行う場合には、ＷＴＲＵ固有のＢＬＥＲ又は測定ＳＩＲを、定常的にアウターループ電力制御を行うことができる頻度で観察することは、非常に困難になる。
【００１７】
システム動作を保障し簡単にするため、測定値が、特定のＷＴＲＵから受信されたＵＬ信号から生成されるアウターループ電力制御に代えて、最悪ケースのＷＴＲＵを最悪ケースの目標ＳＩＲでアコモデート（accommodate）するＨＳ−ＳＩＣＨ上の高い目標ＳＩＲを、選択することができる。しかしながら、得られた干渉の度合いによって、ＨＳ−ＳＩＣＨを含むＴＳ（Time Slot）に他のチャネルを割り当てることが困難になる。その結果、リソースが消費される。リソース効率のためには、ＨＳ−ＳＩＣＨを含むＴＳでいくつかのチャネルをオペレートすることが望ましいが、この問題は悪くなる。アウターループ電力制御をしない場合には、ＨＳ−ＳＩＣＨ内の符号リソースが消費される。一般的に、仮にＷＴＲＵが、広大なセルにおいて、ＨＳ−ＳＩＣＨを介して、リライアブルなＵＬ  Ｔｘ電力を実現することができない場合には、ＵＴＲＡ  ＴＤＤにおけるＨＳＤＰＡオペレーションは、ひどく損なわれる可能性がある。そこで、ＵＴＲＡ  ＴＤＤのためのメカニズムであって、ＨＳ−ＳＩＣＨオペレーションのためのＷＴＲＵ固有の目標ＳＩＲ値を正確に更新することができるメカニズムを提供する、ことが望ましい。
【先行技術文献】
【特許文献】
【００１８】
【特許文献１】国際公開第０２／０９３１１号パンフレット
【特許文献２】米国特許出願公開第０９／９０４００１号明細書
【非特許文献】
【００１９】
【非特許文献１】３ＧＰＰ  ＴＳ２５．２２３ｖ．３．３．０
【非特許文献２】３ＧＰＰ  ＴＳ２５．２２２ｖ．３．２．０
【非特許文献３】３ＧＰＰ  ＴＳ２５．２２４ｖ．３．６
【非特許文献４】Association of Radio Industries Businesses (ARIB), Volume 3 specifications of Air-Interface for 3G Multiple System Version 1.0, Revision 1.0
【発明の概要】
【００２０】
本発明は、ＤＣＨ（dedicated channel）とＳＣＨ（shared channel）がともに利用されるワイヤレス通信システムに、制御された送信機電力を提供する。一実施形態においては、ワイヤレス通信システムのアウターループ送信電力制御が提供される。ワイヤレス通信システムにおいては、不特定のＷＴＲＵ（wireless transmit receive unit）を介して、ワイヤレス電気通信（telecommunication）に利用可能なＳＣＨと、特定のＷＴＲＵを使用するために割り当てられたＤＣＨと、の両方で、ユーザデータがネットワークユニットからシグナルされ、ＷＴＲＵが、ＵＬ  ＤＣＨ（uplink dedicated channel）を介してデータ信号を送信し、関連付けされた ＵＬ  ＳＣＨ（uplink shared channel）を介してデータ信号を散発的に送信する。ネットワークユニットは、好ましくは、ＵＬ  ＤＣＨと少なくとも１つのＵＬ  ＳＣＨを介してＷＴＲＵからＵＬユーザデータを受信する受信機と、ＷＴＲＵが使用できるＵＬ  ＳＣＨと関連付けをしたＵＬ  ＤＣＨを介してＷＴＲＵによって送信され受信された信号に基づいて、ＵＬ  ＤＣＨに関する目標メトリックを計算するプロセッサと、を有する。計算された各ＵＬ  ＤＣＨ目標メトリックから導出されたそれぞれのＵＬ  ＳＣＨ目標メトリックを出力するように構成したＳＣＨ目標メトリックジェネレータが提供される。各ＷＴＲＵは、好ましくは、ＵＬチャネルに関する目標メトリックの関数として送信電力調整値をコンピュートするプロセッサを有する。このＷＴＲＵのプロセッサは、好ましくは、ＵＬ  ＤＣＨを介してＷＴＲＵによって送信され受信された信号に基づいてネットワークユニットによって計算されたＵＬ  ＤＣＨ目標メトリックの関数として、ＵＬ  ＳＣＨと関連付けをしたＵＬ  ＤＣＨに関するＵＬ  ＤＣＨ電力調整値をコンピュートし、ＳＣＨ目標メトリックジェネレータから出力されたそれぞれのＵＬ  ＳＣＨ目標メトリックの関数として、関連付けされた ＵＬ  ＳＣＨに関するＵＬ  ＳＣＨ電力調整値をコンピュートするように構成される。各ＷＴＲＵは、ＷＴＲＵのプロセッサに動作可能に関連付けられた送信機も有し、この送信機によれば、ユーザデータが、コンピュートされたそれぞれのＵＬ  ＤＣＨ電力調整値及びＵＬ  ＳＣＨ電力調整値に対応するそれぞれの電力レベルで、ＵＬ  ＤＣＨ及び関連付けされた ＵＬ  ＳＣＨを介して、送信される。
【００２１】
目標メトリックは目標ＳＩＲ（target signal to interference ratio）であるのが好ましく、通信システムは、ＷＴＲＵ送信のためのオープンループ送信電力制御またはクローズドループ送信電力制御のいずれかを有するのが好ましい。本発明は、ＵＭＴＳ（Universal Mobile Telecommunications System）、例えば３ＧＰＰ  Ｒ５システムであって、ＳＣＨ目標ＳＩＲが生成されるＳＣＨが、ＨＳ−ＤＳＣＨ（High Speed Downlink Shared Channels）と協働して動作するＨＳ−ＳＩＣＨ（High Speed Shared Information Channels）である３ＧＰＰ  Ｒ５システムにインプリメントするのに特に適しているが、これに限定されるものではない。
【００２２】
１つの代替例においては、ネットワークユニットには、ＳＣＨ目標メトリックジェネレータが含まれる。このケースにおいて、オープンループシステムにあっては、ネットワークユニットには、ＤＣＨ目標ＳＩＲ及びＳＣＨ目標ＳＩＲを送信するように構成した送信機が含まれるのが好ましく、これらＷＴＲＵのプロセッサが、受信されたＤＣＨ目標ＳＩＲ及びＳＣＨ目標ＳＩＲに基づいて電力調整値を計算するようにするため、これらＷＴＲＵには、それぞれ、それぞれのＤＣＨ目標ＳＩＲ及びＳＣＨ目標ＳＩＲを受信するように構成した受信機が含まれるのが好ましい。
【００２３】
ネットワークユニットがＳＣＨ目標メトリックジェネレータを含むクローズドループシステムにあっては、ネットワークユニットに、ネットワークユニットのプロセッサによって計算されたＤＣＨ目標ＳＩＲと、ＳＣＨ目標メトリックジェネレータによって生成されたＳＣＨ目標ＳＩＲと、の関数として、ＤＣＨ電力ステップコマンド及びＳＣＨ電力ステップコマンドを生成するように構成したコンポーネントと、ＤＣＨ電力ステップコマンド及びＳＣＨ電力ステップコマンドを送信するように構成した送信機と、が含まれる、のが好ましい。ＷＴＲＵのプロセッサが、受信されたＤＣＨ電力ステップコマンド及びＳＣＨ電力ステップコマンドに基づいて、電力調整値を計算するようにするため、ＷＴＲＵには、それぞれ、それぞれのＤＣＨ電力ステップコマンド及びＳＣＨ電力ステップコマンドを受信するように構成した受信機が含まれるのが好ましい。
【００２４】
別の代替例においては、各ＷＴＲＵにはＳＣＨ目標メトリックジェネレータが含まれており、目標メトリックが目標ＳＩＲである。通信システムがＷＴＲＵ送信のためのオープンループ送信電力制御部を有する場合においては、ＷＴＲＵのプロセッサが、受信されたＤＣＨ目標ＳＩＲと、ＷＴＲＵのＳＣＨ目標メトリックジェネレータにより、受信されたＤＣＨ目標ＳＩＲに基づいて生成されたＳＣＨ目標ＳＩＲと、に基づき、電力調整値を計算するようにするため、ネットワークユニットには、ＤＣＨ目標ＳＩＲを送信するように構成した送信機が含まれ、各ＷＴＲＵには、それぞれのＤＣＨ目標ＳＩＲを受信するように構成した受信機が含まれる、のが好ましい。
【００２５】
本発明によれば、他の複数のＷＴＲＵのために送信電力制御をインプリメントするサービングＷＴＲＵが提供される。ユーザデータは、不特定のＷＴＲＵに利用可能なＵＬ  ＳＣＨと、特定のＷＴＲＵによって使用されるように割り当てられた専用ＵＬチャネルと、の両方で、他の複数のＷＴＲＵによってサービングＷＴＲＵにシグナルされる。特定のＷＴＲＵは、データ信号を、ＵＬ  ＤＣＨを介して送信し、データ信号を、関連付けされた ＵＬ  ＳＣＨを介して散発的に送信する。他の複数のＷＴＲＵは、それぞれ、サービングＷＴＲＵによって計算されたＵＬ目標メトリックの関数として、ＵＬ  ＤＣＨと関連付けされた ＵＬ  ＳＣＨのためのＵＬチャネル電力調整値を計算するプロセッサを含む。当該サービングＷＴＲＵは、ＵＬ  ＤＣＨと少なくとも１つのＵＬ  ＳＣＨを介して他の複数のＷＴＲＵからＵＬユーザデータを受信する受信機と、１つのＷＴＲＵが使用できるＵＬ  ＳＣＨと関連付けをしたＵＬ  ＤＣＨを介して、このＷＴＲＵによって送信され受信された信号に基づいて、ＵＬ  ＤＣＨのための目標メトリックを計算するプロセッサと、計算された各ＵＬ  ＤＣＨ目標メトリックから導出されたそれぞれのＵＬ  ＳＣＨ目標メトリックを出力するように構成したＳＣＨ目標メトリックジェネレータと、を含む、のが好ましい。
【００２６】
目標メトリックは目標ＳＩＲであるのが好ましい。当該サービングＷＴＲＵがＵＭＴＳにおいて使用される場合においては、当該サービングＷＴＲＵは、ＷＴＲＵ送信のためのオープンループ送信電力制御又はクローズドループ送信電力制御のいずれかを有するＵＴＲＡＮ（UMTS Terrestrial Radio Access Network）として構成されるのが好ましく、ＳＣＨ目標ＳＩＲが生成されるＳＣＨは、ＨＳ−ＤＳＣＨ（High Speed Downlink Shared Channels）と協働して動作するＨＳ−ＳＩＣＨ（High Speed Shared Information Channels）である、のが好ましい。オープンループシステムにあっては、このＵＴＲＡＮには、ＤＣＨ目標ＳＩＲ及びＨＳ−ＳＩＣＨ目標ＳＩＲを送信するように構成した送信機が含まれる、のが好ましい。この場合、他の複数のＷＴＲＵは、ＵＴＲＡＮ送信機から受信されたＤＣＨ目標ＳＩＲ及びＨＳ−ＳＩＣＨ目標ＳＩＲに基づいて電力調整値を計算する。クローズドループシステムにあっては、このＵＴＲＡＮには、次のようなコンポーネントと送信機とが含まれるのが好ましい。このコンポーネントは、プロセッサによって計算されたＤＣＨ目標ＳＩＲと、ＳＣＨ目標メトリックジェネレータによって生成されたＨＳ−ＳＩＣＨ目標ＳＩＲと、の関数として、ＤＣＨ電力ステップコマンド及びＨＳ−ＳＩＣＨ電力ステップコマンドを生成するように構成されている。この送信機は、ＤＣＨ電力ステップコマンド及びＨＳ−ＳＩＣＨ電力ステップコマンドを送信するように構成され、この構成により、他の複数のＷＴＲＵは、ＵＴＲＡＮの送信機から受信されたＤＣＨ電力ステップコマンドと、ＨＳ−ＳＩＣＨ電力ステップコマンドと、に基づいて、電力調整値を計算する。
【００２７】
本発明によれば、ワイヤレス通信システムのために送信電力制御をする次のようなＷＴＲＵが提供される。すなわち、不特定の複数のＷＴＲＵに利用可能なＳＣＨと、特定の１つのＷＴＲＵの使用のために割り当てられたＤＣＨと、の両方で、ユーザデータがシグナルされ、この特定のＷＴＲＵは、ＵＬ  ＤＣＨを介してデータ信号を送信し、関連付けされた ＵＬ  ＳＣＨを介してデータ信号を散発的に送信する。
【００２８】
そうであるので、当該ＷＴＲＵには、次のような受信機と、ＳＣＨ目標メトリックジェネレータと、プロセッサと、が含まれるのが好ましい。この受信機は、ＵＬ  ＤＣＨを介してＷＴＲＵによって送信され受信された信号に基づいて計算されたＵＬ  ＤＣＨに関する目標メトリックを受信する。このＳＣＨ目標メトリックジェネレータは、受信されたＵＬ  ＤＣＨ目標メトリックから導出されたＵＬ  ＳＣＨ目標メトリックを出力するように構成されている。このプロセッサは、ＵＬ  ＤＣＨ電力調整値を、受信されたＵＬ  ＤＣＨ目標メトリックの関数として計算し、ＵＬ  ＳＣＨ電力調整値を、ＳＣＨ目標メトリックジェネレータから出力されたＵＬ  ＳＣＨ目標メトリックの関数として計算するように構成され、目標メトリックの関数として電力調整値を計算する。これら目標メトリックは、目標ＳＩＲであるから、このプロセッサは、受信されたＤＣＨ目標ＳＩＲに基づいて、当該ＷＴＲＵのＳＣＨ目標メトリックジェネレータによって生成されたＳＣＨ目標ＳＩＲに基づき、電力調整値を計算する、のが好ましい。このプロセッサは、計算されたＵＬ  ＤＣＨ電力調整値をＷＴＲＵによる送信のためのＵＬ  ＤＣＨ送信データ信号と合成するように構成したコンバイナ（combiner）と、計算されたＵＬ  ＳＣＨ電力調整値をＷＴＲＵによる送信のためのＵＬ  ＳＣＨ送信データ信号と合成するように構成したコンバイナと、を有する送信機に、動作可能に関連付けられる、のが好ましい。
【００２９】
当該ＷＴＲＵの利点は、ＷＴＲＵによる送信においてオープンループ送信電力制御を行うＵＭＴＳであって、ＳＣＨ目標ＳＩＲが生成されるＳＣＨが、ＨＳ−ＤＳＣＨと協働して動作するＨＳ−ＳＩＣＨであるＵＭＴＳにおいて使用されるように構成できる、点にある。
【００３０】
このようなケースにおいては、このプロセッサが、受信されたＤＣＨ目標ＳＩＲと受信されたＤＣＨ目標ＳＩＲとに基づいてＷＴＲＵのＳＣＨ目標メトリックジェネレータによって生成されたＨＳ−ＳＩＣＨ目標ＳＩＲに基づき、電力調整値を計算する、のが好ましい。また、このプロセッサが、計算されたＵＬ  ＤＣＨ電力調整値をＷＴＲＵによる送信のためのＵＬ  ＤＣＨ送信データ信号と合成するように構成したコンバイナと、計算されたＵＬ  ＨＳ−ＳＩＣＨ電力調整値をＷＴＲＵによる送信のためのＵＬ  ＨＳ−ＳＩＣＨ送信データ信号と合成するように構成したコンバイナと、を有する送信機に、動作可能に関連付けられる、のが好ましい。
【００３１】
ワイヤレス通信システムのためのアウターループ送信電力制御方法が提供されるが、このワイヤレス通信システムにおいては、ユーザデータが、不特定のＷＴＲＵに利用可能なＳＣＨと、特定のＷＴＲＵの使用のために割り当てられたＤＣＨと、の両方でシグナルされ、この不特定のＷＴＲＵが、ＵＬ  ＤＣＨを介してデータ信号を送信し、関連付けされた ＵＬ  ＳＣＨを介してデータ信号を散発的に送信する。
【００３２】
一方法においては、ＵＬユーザデータが、複数のＵＬ  ＤＣＨと少なくとも１つのＵＬ  ＳＣＨとを介して、複数のＷＴＲＵから受信される。また、ＵＬ  ＤＣＨのための目標メトリックが、ＷＴＲＵによって使用可能なＵＬ  ＳＣＨと関連付けをしたＵＬ  ＤＣＨを介して、このＷＴＲＵによって送信され受信された信号に基づき、ネットワークユニットによって計算される。個々のＵＬ  ＳＣＨ目標メトリックは、計算された各ＵＬ  ＤＣＨ目標メトリックから導出される。ＵＬ  ＳＣＨと関連付けをしたＵＬ  ＤＣＨに関するＵＬ  ＤＣＨ電力調整値は、ＵＬ  ＤＣＨを介してＷＴＲＵによって送信され受信された信号に基づいてネットワークユニットによって計算されたＵＬ  ＤＣＨ目標メトリックの関数として、各ＷＴＲＵによって計算される。この関連付けされたＵＬ  ＳＣＨのためのＵＬ  ＳＣＨ電力調整値は、ＳＣＨ目標メトリックジェネレータから出力されたそれぞれのＵＬ  ＳＣＨ目標メトリックの関数として、各ＷＴＲＵによって計算される。ＵＬ  ＤＣＨ上のユーザデータと、この関連付けされたＵＬ  ＳＣＨ上のユーザデータは、計算されたそれぞれのＵＬ  ＤＣＨ電力調整値及びＵＬ  ＳＣＨ電力調整値に対応するそれぞれの電力レベルで、各ＷＴＲＵによって送信される。個々のＵＬ  ＳＣＨ目標メトリックは、計算された各ＵＬ  ＤＣＨ目標メトリックから、ネットワークユニットまたはＷＴＲＵのいずれかにより、導出することができる。これら目標メトリックは目標ＳＩＲである、のが好ましい。また、ＷＴＲＵによる送信のため、アウターループ電力制御方法を、オープンループ送信電力制御またはクローズドループ送信電力制御のいずれかのために、インプリメントすることができる。これらの方法の利点は、ネットワークユニットがＵＴＲＡＮであり、かつ、ＳＣＨ目標ＳＩＲが生成されるＳＣＨが、ＨＳ−ＤＳＣＨと協働して動作するＨＳ−ＳＩＣＨであるＵＭＴＳに、インプリメントすることができる、点にある。
【００３３】
本発明には、他の複数のＷＴＲＵのサービングＷＴＲＵによる送信電力制御をインプリメントする方法が含まれる。すなわち、この方法においては、ユーザデータは、不特定の複数のＷＴＲＵに利用可能なＵＬ  ＳＣＨと、特定の１つのＷＴＲＵによって使用されるように割り当てられたＵＬ  ＤＣＨとにおいて、他の複数のＷＴＲＵによってサービングＷＴＲＵにシグナルされる。また、この方法においては、この特定のＷＴＲＵが、ＵＬ  ＤＣＨを介してデータ信号を送信し、関連付けられているＵＬ  ＳＣＨを介して散発的にデータ信号を送信し、他の複数のＷＴＲＵは、それぞれ、サービングＷＴＲＵによって計算されたＵＬ目標メトリックの関数として、ＵＬ  ＤＣＨと、関連付けられているＵＬ  ＳＣＨと、のためのＵＬチャネル電力調整値を計算する。ＵＬユーザデータは、ＵＬ  ＤＣＨと少なくとも１つのＵＬ  ＳＣＨを介して他の複数のＷＴＲＵから受信される。これら複数のＵＬ  ＤＣＨの目標メトリックは、ＷＴＲＵが使用可能なＵＬ  ＳＣＨと関連付けをしたＵＬ  ＤＣＨを介して、このＷＴＲＵによって送信され受信された信号に基づいて計算される。生成された個々のＵＬ  ＳＣＨ目標メトリックは、計算された各ＵＬ  ＤＣＨ目標メトリックから導出される。好ましくは、目標メトリックの計算及び生成は、目標ＳＩＲの計算及び生成を含む。これら方法の利点は、ＷＴＲＵによる送信のためにオープンループ送信電力制御またはクローズドループ送信電力制御をインプリメントするＵＴＲＡＮとして、サービングＷＴＲＵが構成される点にあり、また、このＵＴＲＡＮにおいて、ＳＣＨ目標ＳＩＲが生成されるＳＣＨが、ＨＳ−ＤＳＣＨと協働して動作するＨＳ−ＳＩＣＨである点にある。オープンループシステムにおいては、ＤＣＨ目標ＳＩＲ及びＨＳ−ＳＩＣＨ目標ＳＩＲが送信されるのが好ましく、これにより、他の複数のＷＴＲＵが、ＵＴＲＡＮから受信されたＤＣＨ目標ＳＩＲ及びＨＳ−ＳＩＣＨ目標ＳＩＲに基づいて、電力調整値を計算する。クローズドループシステムにおいては、ＤＣＨ電力ステップコマンド及びＨＳ−ＳＩＣＨ電力ステップコマンドが、ＤＣＨ目標ＳＩＲ及びＨＳ−ＳＩＣＨ目標ＳＩＲの関数として生成されるのが好ましく、ＤＣＨ電力ステップコマンド及びＨＳ−ＳＩＣＨ電力ステップコマンドが送信され、他の複数のＷＴＲＵが、ＵＴＲＡＮから受信されたＤＣＨ電力ステップコマンド及びＨＳ−ＳＩＣＨ電力ステップコマンドに基づいて、電力調整値を計算する。
【００３４】
また、ワイヤレス通信システムにおいて使用されるＷＴＲＵのための送信電力制御方法も提供される。この方法においては、不特定の複数のＷＴＲＵに利用可能なＳＣＨと、特定の１つのＷＴＲＵの使用のために割り当てられたＤＣＨとで、ユーザデータがシグナルされ、ＷＴＲＵが、ＵＬ  ＤＣＨを介してデータ信号を送信し、関連付けされているＵＬ  ＳＣＨを介して、データ信号を散発的に送信する。ＵＬ  ＤＣＨのための目標メトリックであって、当該ＷＴＲＵによってＵＬ  ＤＣＨを介して送信され受信された信号に基づいて計算された目標メトリックが受信される。受信されたＵＬ  ＤＣＨ目標メトリックから導出されたＵＬ  ＳＣＨ目標メトリックが、生成される。ＵＬ  ＤＣＨ電力調整値が、受信されたＵＬ  ＤＣＨ目標メトリックの関数として計算され、また、ＵＬ  ＳＣＨ電力調整値が、ＵＬ  ＳＣＨ目標メトリックの関数として計算される。目標メトリックは目標ＳＩＲであるのが好ましいから、当該ＷＴＲＵは、受信されたＤＣＨ目標ＳＩＲと、受信されたＤＣＨ目標ＳＩＲと、に基づいてＷＴＲＵによって生成されたＳＣＨ目標ＳＩＲに基づき、電力調整値を計算し、当該ＷＴＲＵは、計算されたＵＬ  ＤＣＨ電力調整値を、ＷＴＲＵによる送信のためのＵＬ  ＤＣＨ送信データ信号と合成し、かつ、計算されたＵＬ  ＳＣＨ電力調整値をＷＴＲＵによる送信のためのＵＬ  ＳＣＨ送信データ信号と合成する。この方法の利点は、ＷＴＲＵによる送信のため、オープンループ送信電力制御をインプリメントするＵＭＳＴにおいて使用するため、インプリメントすることができる点にある。このようなケースでは、ＳＣＨ目標ＳＩＲが生成されるＳＣＨは、ＨＳ−ＤＳＣＨと協働して動作するＨＳ−ＳＩＣＨであるのが好ましく、当該ＷＴＲＵは、受信されたＤＣＨ目標ＳＩＲと、受信されたＤＣＨ目標ＳＩＲと、に基づいてＷＴＲＵによって生成されたＨＳ−ＳＩＣＨ目標ＳＩＲに基づき、電力調整値を計算し、計算されたＵＬ  ＤＣＨ電力調整値を、ＷＴＲＵによる送信のため、ＵＬ  ＤＣＨ送信データ信号と合成し、計算されたＵＬ  ＨＳ−ＳＩＣＨ電力調整値をＷＴＲＵによる送信のため、ＵＬ  ＨＳ−ＳＩＣＨ送信データ信号と合成する。
【００３５】
他の目的及び利点は、本発明の現行で好ましい実施形態の以下の説明に基づいて当業者には明白となろう。
【００３６】
【表１】
0004982520.tif 000002
【図面の簡単な説明】
【００３７】
【図１】慣用のＵＭＴＳネットワークのシステムアーキテクチャの概要を示す図である。
【図２】目標ＳＩＲメトリックによってアウターループ電力制御をインプリメントした、ワイヤレス通信システムの慣用のオープン電力制御システムを示す概略図である。
【図３】目標ＳＩＲメトリックによってアウターループ電力制御をインプリメントした、ワイヤレス通信システムの慣用のクローズド電力制御システムを示す概略図である。
【図４】ＤＣＨと高速ＳＣＨをともに利用するワイヤレス通信のための本発明に係るオープン電力制御システムを示す概略図である。
【図５】ＤＣＨと高速ＳＣＨをともに利用するワイヤレス通信のための本発明に係る電力制御システムの代替の実施形態を示す概略図である。
【図６】ＤＣＨと高速ＳＣＨをともに利用するワイヤレス通信のための本発明に係るクローズド電力制御システムを示す概略図である。
【発明を実施するための形態】
【００３８】
３ＧＰＰなどのワイヤレスシステムのための慣用の電力制御方法においては、いわゆるインナーループ及びアウターループが利用されている。この電力制御システムは、インナーループがオープンループである場合には、オープン電力制御システムといわれ、インナーループがクローズド（closed）ループである場合には、クローズド電力制御システムといわれる。オープン電力制御システムにおいても、インナーループがオープンであるシステムもクローズドであるシステムも、クローズド電力制御システムにおいても、アウターループはクローズドループである。
【００３９】
「送信側」通信ステーション１０と「受信側」通信ステーション３０とを有するオープン電力制御システムの関係部分を図２に示す。両方のステーション１０、３０はともにトランシーバである。典型的には、一方が、ベースステーションであって、３ＧＰＰにおいてノードＢと呼ばれるものであり、他方が、ＷＴＲＵであって、３ＧＰＰにおいてＵＥ（user equipment）と呼ばれるものである。簡明にするため、図示するコンポーネントは選択されたもののみとする。本発明は、好ましい３ＧＰＰシステムについて説明する。しかしながら、本発明は、ワイヤレス通信システム全般に適用され、複数のＷＴＲＵが互いに通信するアドホックネットワーキングを行うシステムにも適用される。電力制御は、過度の干渉が生じずに複数のユーザにシグナルする品質を維持するため、重要である。
【００４０】
送信側通信ステーション１０には、ユーザデータ信号をトランスポートするためのデータ線１２を有する送信機１１が含まれる。送信電力レベルを調整するため、ユーザデータ信号には、プロセッサ１５の出力である所望の電力レベルが供給される。得られたユーザデータ信号は、送信機１１のアンテナシステム１４から送信される。
【００４１】
送信データを含むワイヤレス無線信号２０が、受信アンテナシステム３１を介して、受信側通信ステーション３０によって受信される。受信データの品質に影響を与える干渉無線信号２１も、この受信アンテナシステム３１によって受信されることになる。受信側通信ステーション３０には、干渉電力測定デバイス３２が含まれ、干渉電力測定デバイス３２は受信信号を入力し、測定した干渉電力のデータを出力する。受信側通信ステーション３０にはデータ品質測定デバイス３４が含まれ、データ品質測定デバイス３４はやはり受信信号を入力し、データ品質信号を生成する。データ品質測定デバイス３４は処理装置３６に結合されており、処理装置３６は信号品質データを受け取り、入力端子３７を介して受け取られたユーザ定義の品質標準パラメータに基づいて、目標ＳＩＲ（signal to interference）データを計算する。
【００４２】
受信側通信ステーション３０には送信機３８が含まれ、この送信機３８には干渉電力測定デバイス３２と目標ＳＩＲ生成プロセッサ３６とが結合されている。受信ステーションの送信機３８には、ユーザデータ用の入力端子４０と、基準信号用の入力端子４１と、基準信号送信電力データ用の入力端子４２とが含まれる。受信側通信ステーション３０は、ユーザデータと、制御に関係するデータと基準信号とを、アンテナシステム３９を介して送信する。
【００４３】
送信側通信ステーション１０には、受信機１６と受信アンテナシステム１７とが含まれている。受信機１６は、受信側通信ステーション３０から送信された無線信号であって、受信側通信ステーション３０からのユーザデータ４４と、受信側通信ステーション３０によって生成された制御信号と制御データ４５とを含む無線信号を受信する。
【００４４】
送信電力調整値をコンピューティングするため、送信ステーションの送信機のプロセッサ１５は、送信ステーションの受信機１６に関連付けられている。送信機１１には、受信された基準信号電力を測定するデバイス１８であって、パス損失計算回路１９に関連付けられているデバイス１８が含まれる。
【００４５】
送信電力調整値をコンピューティングするため、プロセッサ１５は、受信ステーションの目標ＳＩＲ生成プロセッサ３６によって生成された目標ＳＩＲデータ用の目標ＳＩＲデータ入力端子２２と、受信ステーションの干渉電力測定デバイス３２によって生成された干渉データ用の干渉電力データ入力端子２３と、パス損失計算回路１９の出力であるパス損失信号用のパス損失データ入力端子２４とから、データを受け取る。このパス損失信号は、受信側通信ステーション３０を送信元とする基準信号送信電力データ用の基準信号送信電力データ入力端子２５と、送信機１１の基準信号電力測定デバイス１８の出力用の測定基準信号電力入力端子２６と、を介して受け取られたデータから、パス損失計算回路１９によって生成されたものである。基準信号測定デバイス１８は、送信ステーションの受信機１６に結合されており、受信ステーションの送信機３８から受信された基準信号の電力を測定するものである。パス損失計算回路１９は、好ましくは、入力端子２５からの既知の基準電力信号強度と、入力端子２６からの測定された受信電力強度と、の差に基づいて、パス損失を算出するものである。
【００４６】
干渉電力データと基準信号電力データと目標ＳＩＲ値とは、伝搬チャネル及び干渉の時間によって変化する速度より、著しく低い速度で、送信側通信ステーション１０にシグナルされる。「インナー」ループは、測定されたインタフェースに依拠するシステムの部分である。当該システムは「オープンループ」と考えられている。というのは、最小必須送信機電力の推定がどの程度かを示す、アルゴリズムへのフィードバックが、伝搬チャネル及び干渉の時間によって変化する速度に匹敵する速度で、行われないからである。仮に必須送信電力レベルが急速に変化した場合、当該システムは、その変化に応じて、適時に、電力調整値を変更することができない。
【００４７】
図２のオープン電力制御システムのアウターループに関しては、リモート受信側通信ステーション３０において、受信されたデータの品質が測定デバイス３４により評価される。デジタルデータ品質の典型的なメトリックは、ビットエラーレートとブロックエラーレートである。これらのメトリックの計算には、時間によって変化する伝搬チャネル及び干渉の周期よりも、著しく長い期間において蓄積されたデータを要する。任意の所定のメトリックにあっては、このメトリックと受信ＳＩＲとの間に理論上の関係がある。このメトリックを評価できるのみのデータが、リモート受信機において蓄積されると、プロセッサ３６において、メトリックが計算され、所望のメトリック（所望のＱｏＳ（quality of service）を表す）と比較され、更新された目標ＳＩＲが出力される。更新された目標ＳＩＲとは、送信機インナーループにおいて適用される（理論上の）値であり、この値によって、測定されたメトリックが所望の値に収束される。最後に、更新された目標ＳＩＲは、送信機１１のインナーループで使用するため、受信ステーションの送信機３８と、送信ステーションの受信機１６とを介して、送信機１１に渡される。目標ＳＩＲの更新レートは、品質統計を蓄積するのに要する時間によって制限され、電力制御される送信機に対するシグナルレートの実際的な限界によって制限される。
【００４８】
図３は、送信ステーション５０と受信ステーション７０とを有する通信システムであって、クローズド電力制御システムを採用した通信システムを示す。
【００４９】
送信ステーション５０には、ユーザデータ信号をトランスポートするデータ線５２を有する送信機５１が含まれる。送信パワーレベルを調整するため、このユーザデータ信号には、プロセッサ５５の出力５３からの送信電力調整値が供給される。このユーザデータは、送信機５１のアンテナシステム５４を介して送信される。
【００５０】
送信データを含むワイヤレス無線信号６０が、受信アンテナシステム７１を介して、受信ステーション７０によって受信される。受信データの品質に影響を与える干渉無線信号６１も、受信アンテナシステム７１によって受信されることになる。受信ステーション７０には、干渉電力測定デバイス７２が含まれ、この干渉電力測定デバイス７２は受信信号を入力し、測定ＳＩＲデータを出力する。受信ステーション７０には、データ品質測定デバイス７３も含まれ、このデータ品質測定デバイス７３は、受信信号を入力し、データ品質信号を生成する。データ品質測定デバイス７３には、プロセッサ７４が結合されており、このプロセッサ７４は、信号品質データを受け取り、入力端子７５からのユーザ定義の品質標準パラメータに基づいて目標ＳＩＲ（signal to interference ratio）データを計算する。
【００５１】
コンバイナ７６は、デバイス７２からの測定ＳＩＲデータと、プロセッサ７４からの計算された目標ＳＩＲデータとを比較して、ＳＩＲエラー信号を出力する。このコンバイナ７６は、サブストラクタ（substracter）であるのが好ましいが、この場合においては、デバイス７２からの測定ＳＩＲデータと、プロセッサ７４からの計算された目標ＳＩＲデータとを、減算して、ＳＩＲエラー信号を出力する。コンバイナ７６からのＳＩＲエラー信号は処理回路７７に入力され、処理回路７７において、その信号に基づいてステップアップ／ダウンコマンドが生成される。
【００５２】
受信ステーション７０には、処理回路７７と結合された送信機７８も含まれる。受信ステーションの送信機７８には、ユーザデータ用の入力端子８０も含まれる。受信ステーション７０は、ステーション７０のユーザデータと、制御関連データとを、アンテナシステム７９を介して送信する。
【００５３】
送信ステーション５０には、受信機５６と、受信アンテナシステム５７とが含まれる。送信ステーションの受信機５６は、受信ステーション７０から送信された無線信号であって、受信ステーションのユーザデータ８４と、受信ステーションによって生成された制御データ８５とを含む無線信号を受信する。
【００５４】
送信ステーション５０の送信機のプロセッサ５５は、送信ステーション５０の受信機５６と関連付けをした入力端子５８を有する。プロセッサ５５は、入力端子５８を介して、アップ／ダウンコマンド信号を受け取り、このアップ／ダウンコマンド信号に基づいて送信電力調整値をコンピューティングする。
【００５５】
クローズド電力制御システムのインナーループにあっては、送信ステーション５０の送信機５１は、受信ステーション７０によって生成された高レートの「ステップアップ」コマンドと「ステップダウン」コマンドとに基づき、送信機５１の電力を設定する。受信ステーション７０において、受信データのＳＩＲが、測定デバイス７２によって測定され、プロセッサ７４によって生成された目標ＳＩＲ値とコンバイナ７６により比較される。目標ＳＩＲは（理論上の）値であるが、その値のデータが受信されたとき、所望のＱｏＳをもたらすものである。仮に測定された受信ＳＩＲが目標ＳＩＲ未満であった場合には、「ステップダウン」コマンドが、処理回路７７により、受信ステーションの送信機７８と送信ステーションの受信機５６とを介して、送信機５１に発行され、そうでない場合には、「ステップアップ」コマンドが発行される。当該電力制御システムは「クローズドループ」と考えられる。というのは、時間によって変化する伝搬チャネル及び干渉に、リアルタイムで応答することができる「ステップアップ」コマンドと「ステップダウン」コマンドとを高レートでフィードバックするからである。仮に要求される送信電力レベルが、時間によって変化する干渉及び伝搬に起因して変化した場合には、当該電力制御システムは、迅速に応答して、この変化に応じて送信電力を調整する。
【００５６】
クローズド電力制御システムのアウターループにあっては、受信データの品質は、受信ステーション７０において測定デバイス７３によって評価される。デジタルデータ品質の典型的なメトリックは、ビットエラーレートと、ブロックエラーレートである。これらのメトリックのコンピューティングは、時間によって変化する伝搬チャネル及び干渉の周期よりも著しく長い期間において蓄積されたデータを要する。任意の所定のメトリックにあっては、メトリックと受信ＳＩＲとの間に理論上の関係が存在する。メトリックを評価できるのみのデータが、リモート受信機において蓄積されると、プロセッサ７４によってメトリックがコンピュートされ、所望のメトリック（所望のＱｏＳを表す）と比較され、更新された目標ＳＩＲが出力される。更新された目標ＳＩＲは、（理論上の）値であって、この値が受信機アルゴリズムに適用された場合に、測定されたメトリックを所望の値に収束させる値である。送信機５１の電力を制御するため送信ステーションの電力スケール生成プロセッサ５５に送られるステップアップ／ダウンコマンドの指示を判定するため、この更新された目標ＳＩＲがインナーループにおいて使用される。
【００５７】
オープン電力制御システム、クローズド電力制御システムのいずれのシステムにおいても、送信側通信ステーション１０、５０のアウターループ機能は、受信された送信を受信側通信ステーション３０、７０により観察すること、例えば、ＢＬＥＲ（block-error rate）を観察するか、又は受信ＳＩＲを観察すること、に依拠する。仮に、例えば、ＢＬＥＲが許容値よりも高くなった場合、例えば３ＧＰＰ  Ｒ５において、ＢＬＥＲ＞０．１となり、しかも、ユーザデータが、エラーが多すぎて使用できなくなった場合には、送信側通信ステーション１０、５０が送信電力を調整するためのより大きい目標ＳＩＲが計算される。しかし、ＳＣＨ（shared channel）が時分割であることから、例えば、３ＧＰＰ  Ｒ５におけるＨＳ−ＳＩＣＨにおいてはそうであるから、特定のＷＴＲＵのみがＳＣＨで散発的に送信を行うと、ＷＴＲＵ固有のＢＬＥＲまたは測定ＳＩＲを、安定したアウターループ電力制御を保障する頻度で観察することが、非常に困難になる。
【００５８】
図４、図５、及び図６は、慣用の電力制御システムの修正例を示す。これら修正例においては、ＵＬ  ＨＳ−ＳＩＣＨなどのＳＣＨと、関連付けされた ＤＣＨ（dedicated channel）とのために、アウターループ電力制御オペレーションを提供する。これら修正例には、関連付けされた ＤＣＨをより規則的に観察できるという利点がある。ＳＣＨのメトリック、例えば目標ＳＩＲを設定するため、関連付けされた ＤＣＨの目標ＳＩＲが導出の基礎として使用される。例えば、特定のＷＴＲＵのＨＳ−ＳＩＣＨの目標ＳＩＲが、関連付けされた ＤＣＨのために計算される目標ＳＩＲから、本発明に従って導出される。この導出は、予め定めた数学的な関係を基礎にするのが好ましい。この予め定めた数学的な関係は、適切な状況においては、簡単で等しくすることができる。この場合、ＤＣＨのために計算された同一のＳＩＲが、ＨＳ−ＳＩＣＨ電力制御のために使用される。あるいはまた、ＤＣＨを介して適用される目標ＳＩＲから、ＨＳ−ＳＩＣＨ上の目標ＳＩＲを導出するため、マッピングテーブルを環境に基づいて使用することができる。したがって、特定ＷＴＲＵのＤＣＨの目標ＳＩＲが変更された場合には、リライアブルな動作を保障するため、これに応じて、当該ＷＴＲＵのＨＳ−ＳＩＣＨの目標ＳＩＲも更新される。
【００５９】
３ＧＰＰ  Ｒ５システムのＨＳＤＰＡ動作時において、ＷＴＲＵはＣＥＬＬ＿ＤＣＨ状態にあり、この状態において、このＷＴＲＵは、ＲＲＣ（radio resource control）が制御及びユーザプレーン（plane）データをシグナルするため、比較的低速のデュプレックスＤＣＨを使用する。すべてのＷＴＲＵは、このような低速のＤＣＨをＨＳ−ＳＩＣＨと関連付けしており、このＤＣＨにおいては、アウターループ電力制御を使用して、ＤＣＨ上の目標ＳＩＲが動的に調整され、このＤＣＨを連続的に（１フレーム毎、または２フレーム毎に）使用することにより、ＵＬのＢＬＥＲ及び測定ＳＩＲが有意（meaningful）になる、ことを保障する。
【００６０】
ＨＳ−ＳＩＣＨとＤＣＨのＵＬ部分とが、異なるＵＬ  ＴＳ（uplink time slot）に割り振られる可能性がある場合でも、関連付けられた ＤＣＨ上の目標ＳＩＲは、ＨＳ−ＳＩＣＨ上の目標ＳＩＲとの相関性が大きい。というのは、関連付けられた ＤＣＨ上の目標ＳＩＲは、両方のタイプのチャネルにあって同一であるＷＴＲＵチャネル環境とＷＴＲＵ速度に、主に、依存するからである。また、ＵＬ干渉レベルは、異なるＴＳにおいて異ならせることができるが、干渉レベルに関する補償を提供する他の電力制御パラメータによって既に考慮に入れられている。このため、本発明は、信頼できるアウターループ電力制御機能に基づいて正確に更新されるＵＬ  ＤＣＨ上の目標ＳＩＲを使用して、特定のＷＴＲＵのＵＬ  ＨＳ−ＳＩＣＨ上の必須の目標ＳＩＲを設定するか、又は導出する。
【００６１】
本発明によれば、ＤＣＨオペレーションを監督するアウターループ電力制御機能から、正確な目標ＳＩＲを獲得することができる。ＨＳ−ＳＩＣＨの、処理利得と、ペイロードと、要求されるＢＬＥＲと、ＤＣＨの処理利得と、ペイロードと、要求されるＢＬＥＲとが、比較されるので、２つのチャネル間の推奨される送信電力オフセットを導出するため、基本的な原理が適用される。この導出されたオフセットは、送信ステーションまたは受信ステーションのいずれかにおいて実施することが可能であり、ＨＳ−ＳＩＣＨの好ましい３ＧＰＰ  Ｒ５実施形態の場合、送信ステーション及び受信ステーションは、それぞれ、ＵＥ及びＵＴＲＡＮにそれぞれ該当する。
【００６２】
図４及び図５は、ワイヤレス通信システムの修正されたオープン電力制御システムであって、本発明の教示によるものである。図２の慣用のシステムと同様のコンポーネントは、同様の符号で示す。ＨＳ−ＳＩＣＨなどのＵＬＳＣＨの実施例においては、トランシーバ１０はＷＴＲＵであり、コンポーネント３０は３ＧＰＰ  Ｒ５  ＵＴＲＡＮなどのサービングネットワークを表す。
【００６３】
図４及び図５の実施形態においては、図２のユーザデータパスが、ＳＣＨと関連付けされたＤＣＨのデータを搬送する。図２のデータ線１２は、ＷＴＲＵからのユーザデータをトランスポートするためのものであり、ＤＣＨのＵＬデータ用の線を表すため、図４及び図５にデータ線１２ｄとして示す。送信電力レベルを調整するため、ＵＬ  ＤＣＨデータ信号には、プロセッサ１５の出力端子１３ｄから所望の電力レベルが供給される。図２のデータ線４０は、ユーザデータをＷＴＲＵにトランスポートするためのものであり、ＤＣＨのＤＬデータ用の線を表すため、図４及び図５において線４０ｄとして示されている。
【００６４】
ＷＴＲＵ１０におけるＨＳ−ＳＩＣＨのＵＬデータをトランスポートするため、データ線１２ｓが用意されている。送信電力レベルを調整するため、ＵＬ−ＳＩＣＨデータ信号には、プロセッサ１５の出力１３ｓからの所望の電力レベルが供給される。受信側通信ステーション３０においては、別々のＤＣＨチャネル及びＨＳ−ＳＩＣＨチャネルを出力するため、受信機４６が用意されている。
【００６５】
ＷＴＲＵ１０における電力調整値は、送信機のプロセッサ１５によって行われるが、ＤＣＨ及びＨＳ−ＳＩＣＨにとって慣用の方法でそれぞれ行われる。プロセッサ１５は、個々の送信電力調整値をコンピュートするため、ＤＣＨ目標ＳＩＲデータ及びＨＳ−ＳＩＣＨ目標ＳＩＲデータ用の目標ＳＩＲデータ入力端子２２ｄ、２２ｓからデータを受け取り、受信ステーションの干渉電力測定デバイス３２によって生成された干渉データ用の干渉電力データ入力端子２３からデータを受け取り、パス損失計算回路１９の出力であるパス損失信号用のパス損失データ入力端子２４からデータを受け取る。
【００６６】
目標ＳＩＲ  ＤＣＨは、測定デバイス３４を介して受信ＤＣＨ  ＵＬデータの品質を評価する慣用の方法で生成される、のが好ましい。デジタルデータ品質に関する典型的なメトリックは、ビットエラーレート及びブロックエラーレートである。これらのメトリックをコンピュートするには、時間によって変化する伝搬チャネル及び干渉の周期よりも著しく長い期間において蓄積されたデータを要する。任意の所定のメトリックにあっては、メトリックと受信ＳＩＲとの間に理論上の関係が存在する。メトリックを評価できるのみのデータが、リモート受信機において蓄積されると、プロセッサ３６においてメトリックがコンピュートされ、入力端子３７からの所望のメトリック（所望のＱｏＳを表す）と比較され、更新された目標ＳＩＲ  ＤＣＨが出力される。
【００６７】
更新された目標ＳＩＲは、（理論上の）値であって、この値が送信機インナーループに適用された場合に、測定されたメトリックを所望の値に収束させる値である。最後に、ＤＣＨのインナーループにおいて使用するため、更新された目標ＳＩＲ  ＤＣＨは、受信ステーションの送信機３８と送信ステーションの受信機１６とを介して、送信機１１に渡される。目標ＳＩＲ  ＤＣＨの更新レートは、品質統計を蓄積するのに要する時間によって制限され、電力制御される送信機に対するシグナルレートの実際的な限界によって制限される。
【００６８】
性質上、ＨＳ−ＳＩＣＨが散発的に使用され共有で使用されるから、ＨＳ−ＳＩＣＨに関する目標ＳＩＲを慣用の方法で計算しようと試みることは、実際的においてはない。したがって、ＨＳ−ＳＩＣＨのアウターループ電力制御にはＨＳ−ＳＩＣＨ目標ＳＩＲ導出デバイス２７が含まれ、このＨＳ−ＳＩＣＨ目標ＳＩＲ導出デバイス２７に目標ＳＩＲ  ＤＣＨが入力され、ＨＳ−ＳＩＣＨ目標ＳＩＲ導出デバイス２７から目標ＳＩＲ  ＨＳ−ＳＩＣＨが出力される。ＨＳ−ＳＩＣＨ目標ＳＩＲ導出デバイス２７は、ＤＣＨ上の目標ＳＩＲとＨＳ−ＳＩＣＨ上の目標ＳＩＲとの関係（relationship）を、１：１その他の予め定めた数学的関係か、又はマッピングテーブルから取り出された関係、のいずれかとして設定する、のが好ましい。
【００６９】
図４は、ＨＳ−ＳＩＣＨ目標ＳＩＲ導出デバイス２７が受信側通信ステーション３０に含まれる好ましい実施形態を示す。本発明がＵＭＴＳシステムにインプリメントされる場合には、送信側通信ステーション１０がＷＴＲＵであるのが好ましく、受信側通信ステーション３０がＵＴＲＡＮのネットワークコンポーネントであるのが好ましい。目標ＳＩＲ  ＨＳ−ＳＩＣＨは、ＨＳ−ＳＩＣＨのインナーループにおいて使用するため、ＵＴＲＡＮにおいて導出され、ＵＴＲＡＮの送信機３８及びＷＴＲＵの受信機１６によって、ＷＴＲＵの送信機のプロセッサ１５に入力端子２２ｓを介して渡される。
【００７０】
図５は、ＨＳ−ＳＩＣＨ目標ＳＩＲ導出デバイス２７が送信側通信ステーション１０に含まれる代替の実施形態を示す。この場合、目標ＳＩＲ  ＤＣＨは、受信ステーション送信機３８とＷＴＲＵの受信機１６とを介して、渡され、ＷＴＲＵの送信機１１内の導出デバイス２７に供給され、導出デバイス２７は、ＨＳ−ＳＩＣＨのインナーループにおいて使用するため、ＨＳ−ＳＩＣＨ目標ＳＩＲを導出し、プロセッサ１５に入力端子２２ｓを介して供給する。
【００７１】
図６は、本発明の教示に従って実施されたワイヤレス通信システムの修正されたクローズド電力制御システムを示し、図３の慣用のシステムの同様のコンポーネントは、同様の符号を付してある。ＨＳ−ＳＩＣＨなどのＵＬＳＣＨの実施例においては、トランシーバ５０はＷＴＲＵであり、コンポーネント７０は３ＧＰＰ  Ｒ５  ＵＴＲＡＮのなどのサービス提供ネットワークを表す。
【００７２】
図６の実施形態においては、図３のユーザデータパスが、ＳＣＨと関連付けされたＤＣＨのデータを送信する。図３のデータ線５２は、ＷＴＲＵからのユーザデータをトランスポートするものであるが、ＤＣＨのＵＬデータ用の線を表すため、図６において線５２ｄとして示してある。送信電力レベルを調整するため、ＵＬ  ＤＣＨデータ信号には、プロセッサ５５の出力５３ｄからの所望の電力レベルが供給される。図３のデータ線８０は、ユーザデータをＷＴＲＵにトランスポートするものであるが、ＤＣＨのＤＬデータ用の線を表すため、図６には線８０ｄとして示してある。
【００７３】
図６の実施形態においては、ＷＴＲＵ１０におけるＨＳ−ＳＩＣＨのＵＬデータをトランスポートするため、データ線５２ｓが用意されている。送信電力レベルを調整するため、ＵＬ  ＨＳ−ＳＩＣＨデータ信号には、プロセッサ５５の出力５３ｓからの所望の電力レベルが供給される。受信ステーション７０においては、ＤＣＨ及びＨＳ−ＳＩＣＨを出力するため、受信機８６が用意されている。本発明がＵＭＴＳシステムにインプリメントされた場合には、送信ステーション５０がＷＴＲＵであるのが好ましく、受信ステーション７０がＵＴＲＡＮのネットワークコンポーネントであるのが好ましい。
【００７４】
送信機のプロセッサ５５によって行われるＷＴＲＵ５０における電力調整値は、ＤＣＨ及びＨＳ−ＳＩＣＨの慣用の方法で行われるのが好ましい。プロセッサ５５は、入力端子５８ｄ及び５８ｓを介して、それぞれのアップ／ダウンコマンド信号を受け取り、その信号に基づいて、それぞれの送信電力調整値をコンピュートする。
【００７５】
クローズド電力制御システムのインナーループにあっては、送信ステーションの送信機５１は、受信ステーション７０によって生成された高レートの「ステップアップ」コマンドと「ステップダウン」コマンドとに基づいて、送信機５１の電力を設定する。受信ステーション７０において、受信ＤＣＨデータのＳＩＲが、測定デバイス７２によって測定され、プロセッサ７４によって生成された目標ＳＩＲ  ＤＣＨ値とコンバイナ７６ｄによって比較される。仮に測定された受信ＳＩＲ  ＤＣＨが目標ＳＩＲ  ＤＣＨ未満であった場合には、ＤＣＨ「ステップダウン」コマンドが、処理回路７７により発行され、受信ステーションの送信機７８と送信ステーションの受信機５６とを介して、入力端子５８ｄを介して送信機５１に渡され、そうでない場合には、ＤＣＨ「ステップアップ」コマンドが発行される。電力制御システムは「クローズドループ」と考えられる。というのは、時間によって変化する伝搬チャネル及び干渉にリアルタイムで応答することができる「ステップアップ」コマンドと「ステップダウン」コマンドを高レートでフィードバックするからである。仮に要求される送信電力レベルが、時間によって変化する干渉及び伝搬に起因して変化した場合には、電力制御システムは、迅速に応答して、その変化に応じて送信電力を調整する。
【００７６】
図６のクローズド電力制御システムのアウターループにあっては、受信ＤＣＨの品質は、受信ステーション７０において測定デバイス７３によって評価される。デジタルデータ品質の典型的なメトリックは、ビットエラーレートとＢＬＥＲである。これらのメトリックの計算は、時間によって変化する伝搬チャネル及び干渉の周期よりも著しく長い期間において蓄積されたデータを要する。任意の所定のメトリックにあっては、メトリックと受信ＳＩＲ  ＤＣＨの間に理論上の関係が存在する。メトリックを評価できるのみのデータが、リモート受信機において蓄積されると、プロセッサ７４によってメトリックが計算され、所望のメトリック（所望のＱｏＳを表す）と比較され、更新された目標ＳＩＲ  ＤＣＨが出力される。送信ステーションの電力調整値生成プロセッサ５５に送られるＤＣＨステップアップ／ダウンコマンドの指示を判定するため、更新された目標ＳＩＲ  ＤＣＨが、送信機５１の電力を制御するため、インナーループにおいて使用される。
【００７７】
性質上、ＨＳ−ＳＩＣＨが散発的に共有で使用されるから、ＨＳ−ＳＩＣＨに関する目標ＳＩＲを慣用の方法で計算しようと試みることは、実際的においてはない。したがって、図６は好ましい実施形態を示すが、この実施の形態においては、ＨＳ−ＳＩＣＨに関するアウターループ電力制御には、ＨＳ−ＳＩＣＨ目標ＳＩＲ導出デバイス８７が含まれ、ＨＳ−ＳＩＣＨ目標ＳＩＲ導出デバイス８７に目標ＳＩＲ  ＤＣＨが入力され、目標ＳＩＲ  ＨＳ−ＳＩＣＨが出力される。ＨＳ−ＳＩＣＨ目標ＳＩＲ導出デバイス２７は、好ましくは、ＤＣＨ上の目標ＳＩＲとＨＳ−ＳＩＣＨ上の目標ＳＩＲとの間の関係を、１：１その他の予め定めた数学的関係に設定するか、又はマッピングテーブルから取り出された関係に設定する、のが好ましい。デバイス８７によって生成され、かつコンバイナ７６ｓを介して受信ＤＣＨのＳＩＲと比較される目標ＳＩＲ  ＨＳ−ＳＩＣＨは、測定デバイス７２か、又は測定デバイス７２の派生物（derivative）によって測定される。あるいはまた、受信ＨＳ−ＳＩＣＨのＳＩＲが測定され、目標ＳＩＲ  ＨＳ−ＳＩＣＨと比較される。仮に比較された値が目標ＳＩＲ  ＨＳ−ＳＩＣＨ未満である場合には、ＨＳ−ＳＩＣＨ「ステップダウン」コマンドが、処理回路７７により発行され、受信ステーションの送信機７８及び送信ステーションの受信機５６によって、送信機５１に入力端子５８ｓを介して送られ、そうでない場合には、ＨＳ−ＳＩＣＨ「ステップアップ」コマンドが発行される。
【００７８】
そこで、これは前述したが、ＨＳ−ＳＩＣＨ上の信頼できるアウターループ電力制御機能が、ＵＴＲＡ  ＴＤＤのＨＳＤＰＡの無線リソース使用効率を向上させるため実施される。そこで、本発明は、特定のＷＴＲＵと、これらのＷＴＲＵのすべての使用にあっては、ＤＣＨ上の目標ＳＩＲ設定とＨＳ−ＳＩＣＨ上の目標ＳＩＲ設定との間に新たな関係を提供する。
【００７９】
以上の説明においては、ＵＴＲＡ  ＴＤＤにおけるＨＳＤＰＡについて述べたが、これは例にすぎず、これに限定されるものにおいてはない。本発明は、ＤＣＨとＳＣＨとを含む他のワイヤレス通信システムにも適用可能である。本発明に適合する他の変形形態及び改変形態も、当業者にとって当然のことである。
【図１】
0004982520.tif 000003
【図２】
0004982520.tif 000004
【図３】
0004982520.tif 000005
【図４】
0004982520.tif 000006
【図５】
0004982520.tif 000007
【図６】
0004982520.tif 000008